(57)【要約】      （修正有）【課題】壺部内の溜水全体において安定した縦旋回流を形成して旋回力を高めることができ、汚物排出性能を向上させることができる水洗大便器を提供する。【解決手段】第１リム吐水である第１洗浄水の水流ｆ６を壺部１２の前方から壺部内に流入させる第１リム吐水口と、第２リム吐水の一部である第２洗浄水の水流ｆ３を壺部１２の後方から壺部内に流入させると共に、壺部の後方の第２リム吐水の残部である第３洗浄水の水流ｆ４を壺部の上方且つ側方から下方且つ前方に向って壺部内に流入させて、その前方の壺部の先端部Ｔに導く第２リム吐水口と、を有し、壺部の先端部は、壺部の上方且つ側方から壺部内に流入した第３洗浄水の水流ｆ４を壺部の前側に導いた後、この壺部の前側で第３洗浄水の水流ｆ４を上昇させるように導くガイド部Ｇを備えている。【選択図】図１１Ａ
2020051052.tif 000002
【特許請求の範囲】
【請求項１】
洗浄水源から供給される洗浄水によって洗浄されて汚物を排出する水洗大便器であって、
ボウル形状の汚物受け面と、この汚物受け面の上方に形成されるリム部と、上記汚物受け面の下方に設けられて溜水を貯留して封水を形成する壺部と、を備えたボウル部と、
上記壺部に入口が接続されて汚物を排出する排水トラップ部と、
上記リム部に設けられ、洗浄水を前方に向かって吐水する第１リム吐水を行う第１リム吐水部であって、その第１リム吐水である第１洗浄水を上記壺部の前方から上記壺部内に流入させる第１リム吐水口を備えた上記第１リム吐水部と、
上記リム部に設けられて第２リム吐水を行う第２リム吐水部であって、その第２リム吐水の一部である第２洗浄水を上記壺部の後方から上記壺部内に流入させると共に、上記壺部の後方の上記第２リム吐水の残部のうちの一部である第３洗浄水を上記壺部の上方且つ側方から下方且つ前方に向って上記壺部内に流入させて、その前方の上記壺部の先端部に導く第２リム吐水口を備えた上記第２リム吐水部と、を有し、
上記壺部の先端部は、上記壺部の前側で、上記壺部に流入した上記第３洗浄水を上昇させるように導くガイド部を備えていることを特徴とする水洗大便器。
【請求項２】
上記第２リム吐水口は、上記ボウル部の左右方向の一方側の上記リム部に設けられ、上記壺部の後端よりも前方に配置されている請求項１記載の水洗大便器。
【請求項３】
上記壺部は、底面と、この底面の側方に形成される側壁面と、この側壁面の前端に形成される上記先端部と、この先端部に形成される上記ガイド部と、を備えており、
上記壺部は、上記第２リム吐水口から吐水された上記第２リム吐水の第３洗浄水を上記壺部の側壁面の上方から下方の上記壺部の底面に向って流入させて、上記底面から上記先端部の上記ガイド部に導くように構成されている請求項１又は２に記載の水洗大便器。
【請求項４】
上記第１リム吐水口は、上記ボウル部の左右方向の他方側の上記リム部に設けられ、上記壺部の前端よりも前方に配置され、
上記壺部は、上記第１リム吐水口から吐水された第１リム吐水である上記第１洗浄水が上記壺部の前方から上記壺部内に流入した際に、上記第１洗浄水と上記壺部の前側の上記第３洗浄水の上昇流とを合流させるように構成されている請求項１乃至３の何れか１項に記載の水洗大便器。
【請求項５】
上記ガイド部は、上記壺部の底面から前側の先端部に到達した上記第３洗浄水を下方から上方に導きながら左右方向に広げる流路を形成する請求項１乃至４の何れか１項に記載の水洗大便器。
【請求項６】
上記ガイド部は、その下方に設けられて上記第３洗浄水を下方から上方に導くように上昇させる流路を形成する下側上昇部と、この下側上昇部の上方に設けられて上記下側上昇部により上昇している上記第３洗浄水を左右方向に広げる流路を形成する上側拡路部と、を備えている請求項１乃至５の何れか１項に記載の水洗大便器。
【請求項７】
上記ガイド部は、上記壺部の先端部において前方に向って突出するように形成されている曲がり部を備えており、この曲がり部の前端における平面視の曲率半径は、上記曲がり部が上記壺部の底面側に位置する程、小さくなるように設定されており、上記曲がり部が上記壺部の上方側に位置する程、大きくなるように設定されている請求項１乃至６の何れか１項に記載の水洗大便器。
【請求項８】
上記壺部の底面は、上記排水トラップ部の入口よりも前方に形成される前側底面部を備えており、
上記壺部は、上記第２リム吐水口から吐水された上記第２リム吐水の上記第３洗浄水を上記壺部の底面の前側底面部よりも後方の上記壺部の側壁面から下方の上記前側底面部に向って流入させて、この前側底面部から上記先端部の上記ガイド部に導くように構成されている請求項１乃至７の何れか１項に記載の水洗大便器。
【請求項９】
上記壺部の底面は、上記排水トラップ部の入口よりも後方に形成される後側底面部を備えており、
上記壺部は、上記第２リム吐水口から吐水された上記第２リム吐水の上記第２洗浄水を上記壺部の後方から上記後側底面部に導くように構成されている請求項８記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する従来の水洗大便器として、例えば、特許文献１、２に記載されているように、便器本体のボウル部内の水の落差による流水作用で汚物を押し流す、いわゆる、洗い落とし式の水洗大便器が知られている。
上述した特許文献１、２に記載されている従来の水洗大便器においては、第１リム吐水口及び第２リム吐水口の２つのリム吐水口と、ボウル部の下方に設けられて溜水を貯留して封水を形成する壺部と、この壺部に入口が接続されて汚物を排出する排水トラップ部とを備えている。
これにより、第２リム吐水口から吐水された第２リム吐水の洗浄水が壺部内で上下方向に旋回する縦旋回流を形成し、この縦旋回流によって壺部内の溜水を上下に攪拌することができるようになっている。
さらに、第１リム吐水口から吐水された第１リム吐水の洗浄水が壺部の前方から流入することにより、壺部内の洗浄水を排水トラップ部に押し込むことにより、壺部内の溜水を排水トラップ部に排出することができるようになっている。
【先行技術文献】
【特許文献】
【０００３】
【特許文献１】特開２０１５−６７９５４号公報
【特許文献２】特開２０１８−１０５００６号公報
【発明の概要】
【発明が解決しようとする課題】
【０００４】
ここで、上述した特許文献１、２に記載されている従来の水洗大便器においては、壺部内で溜水を攪拌する観点では、上下方向の旋回力を強めることが好ましい。
また、上述した特許文献１、２に記載されている従来の水洗大便器においては、第２リム吐水口から吐水された第２リム吐水の洗浄水が、壺部の左右方向の一方の側壁側から壺部の底面を経由し、壺部の左右方向に対向する他方の側壁側で上昇することにより、左右方向且つ上下方向の縦旋回流が形成される。
さらに、このような第２リム吐水の洗浄水以外にも、第２リム吐水口から吐水された第２リム吐水の洗浄水には、壺部内に後方側から流入する洗浄水や、壺部の後方から側方を経由して壺部の前方側に旋回した後、壺部の前方側から後方側に向って流入する洗浄水がある。
しかしながら、上述した特許文献１、２に記載されている従来の水洗大便器においては、壺部内に異なる方向から流入する第２リム吐水のそれぞれの洗浄水の水流が互いに干渉し合うため、壺部内で上下左右に乱れた縦旋回流が形成されることになる。これにより、壺部内では、水勢が低下してしまい、十分に溜水を攪拌することができる安定した縦旋回力が得られ難いという問題がある。
よって、壺部内の溜水全体において、いかに安定した縦旋回流を形成し、その旋回力を高めるかが、ボウル部内の浮遊系汚物等の残存を抑制し、汚物排出性能を高めるための重要な課題となっている。
【０００５】
そこで、本発明は、上述した従来技術の課題を解決するためになされたものであり、壺部内の溜水全体において安定した縦旋回流を形成して旋回力を高めることができ、汚物排出性能を向上させることができる水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、ボウル形状の汚物受け面と、この汚物受け面の上方に形成されるリム部と、上記汚物受け面の下方に設けられて溜水を貯留して封水を形成する壺部と、を備えたボウル部と、上記壺部に入口が接続されて汚物を排出する排水トラップ部と、上記リム部に設けられ、洗浄水を前方に向かって吐水する第１リム吐水を行う第１リム吐水部であって、その第１リム吐水である第１洗浄水を上記壺部の前方から上記壺部内に流入させる第１リム吐水口を備えた上記第１リム吐水部と、上記リム部に設けられて第２リム吐水を行う第２リム吐水部であって、その第２リム吐水の一部である第２洗浄水を上記壺部の後方から上記壺部内に流入させると共に、上記壺部の後方の上記第２リム吐水の残部のうちの一部である第３洗浄水を上記壺部の上方且つ側方から下方且つ前方に向って上記壺部内に流入させて、その前方の上記壺部の先端部に導く第２リム吐水口を備えた上記第２リム吐水部と、を有し、上記壺部の先端部は、上記壺部の前側で、上記壺部に流入した上記第３洗浄水を上昇させるように導くガイド部を備えていることを特徴としている。
このように構成された本発明においては、まず、第２リム吐水口からボウル部内の壺部後方に第２リム吐水が吐水され、この第２リム吐水の一部である第２洗浄水が、壺部の後方から壺部内に流れ込む。これにより、壺部内の後側の溜水に対して下降する水流（下降流）を形成することができる。
つぎに、第２リム吐水口から吐水されたボウル部内の壺部後方における第２リム吐水の残部のうちの一部である第３洗浄水が、壺部の上方且つ側方から下方且つ前方に向って壺部内に流れ込む。そして、この第３洗浄水は、壺部の前側の先端部に導かれ、この壺部の先端部に到達した後、壺部の先端部のガイド部により、壺部内の前側の溜水に対して上昇する水流（上昇流）を形成することができる。
このとき、第１リム吐水口から前方に向かって吐水された第１リム吐水の第１洗浄水の少なくとも一部が壺部の前方から壺部内に流れ込む。これにより、壺部内に流れ込んだ第１洗浄水は、壺部内の前側で上昇した第３洗浄水の上昇流を後方に押し込む水流を形成することができる。
これらの結果、壺部内の溜水においては、少なくとも第１リム吐水と第２リム吐水との合流後の第１〜第３洗浄水により、壺部内の前側では、上昇した後に後方側に流れる水流を形成することができ、壺部内の後側では、下降した後に前方側に流れる水流を形成することができる。
したがって、壺部内の溜水全体において、前後方向且つ上下方向に縦旋回する流れ（縦旋回流）を安定して形成することができるため、この縦旋回流の旋回力についても高めることができる。
【０００７】
本発明において、好ましくは、上記第２リム吐水口は、上記ボウル部の左右方向の一方側の上記リム部に設けられ、上記壺部の後端よりも前方に配置されている。
このように構成された本発明においては、第２リム吐水口がボウル部の左右方向の一方側のリム部に設けられ、壺部の後端よりも前方に配置されているため、第２リム吐水口からボウル部内の壺部後方に吐水された第２リム吐水の一部である第２洗浄水が、壺部の後方から壺部内に適度に流れ込むことができる。これにより、壺部内の後側の溜水に対して適度な下降流を形成することができる。
また、第２リム吐水口からボウル部内の壺部後方に吐水された第２リム吐水の残部である第３洗浄水についても、壺部の上方且つ側方に勢いを維持しながら旋回した後、壺部の上方且つ側方から下方且つ前方に向って壺部内に適度に流れ込むことができる。これにより、第３洗浄水が壺部の側方から前側の先端部に導かれて、壺部の先端部に到達することができる。その後、第３洗浄水は、壺部の先端部のガイド部により壺部内の前側で適度な上昇流を形成することができる。
これらの結果、特に、第２リム吐水口から吐水された第２リム吐水の第２洗浄水及び第３洗浄水のそれぞれが、第１リム吐水と第２リム吐水との合流後の壺部内の溜水全体において、安定した縦旋回流の形成に寄与することができる。
【０００８】
本発明において、好ましくは、上記壺部は、底面と、この底面の側方に形成される側壁面と、この側壁面の前端に形成される上記先端部と、この先端部に形成される上記ガイド部と、を備えており、上記壺部は、上記第２リム吐水口から吐水された上記第２リム吐水の第３洗浄水を上記壺部の側壁面の上方から下方の上記壺部の底面に向って流入させて、上記底面から上記先端部の上記ガイド部に導くように構成されている。
このように構成された本発明においては、特に、第２リム吐水口からボウル部内の壺部後方に吐水された第２リム吐水の残部である第３洗浄水について、壺部の側壁面の上方から下方の底面に向って流入させることができ、その後、壺部の底面から先端部のガイド部に効率良く導くことができる。
これにより、壺部内の前側で第３洗浄水を大きく上昇させる上昇流を形成することができるため、第１リム吐水と第２リム吐水との合流後の壺部内に形成される縦旋回流の縦旋回を効果的に促進することができる。
【０００９】
本発明において、好ましくは、上記第１リム吐水口は、上記ボウル部の左右方向の他方側の上記リム部に設けられ、上記壺部の前端よりも前方に配置され、上記壺部は、上記第１リム吐水口から吐水された第１リム吐水である上記第１洗浄水が上記壺部の前方から上記壺部内に流入した際に、上記第１洗浄水と上記壺部の前側の上記第３洗浄水の上昇流とを合流させるように構成されている。
このように構成された本発明においては、第１リム吐水口から吐水された第１リム吐水の第１洗浄水が壺部に向って前方から効果的に流れ込むことができ、壺部内の前側で上昇する第３洗浄水の上昇流に合流することができる。
その後、これらの合流した洗浄水が後方且つ下方の排水トラップ部に向けて押し込まれるため、壺部内において、溜水全体を前側で上昇させ、後側で下降させる強力な縦旋回流を効果的に形成することができる。
したがって、第１リム吐水と第２リム吐水との合流後の壺部内で洗浄水の強力な縦旋回を実現することができるため、壺部内から排水トラップ部への汚物排出性能を向上させることができる。
【００１０】
本発明において、好ましくは、上記ガイド部は、上記壺部の底面から前側の先端部に到達した上記第３洗浄水を下方から上方に導きながら左右方向に広げる流路を形成する。
このように構成された本発明においては、ガイド部に形成される流路により、壺部の底面から前側の先端部に到達した第２リム吐水の第３洗浄水が、下方から上方に導かれて上昇しながら左右方向に広がることができる。
これにより、壺部内の前側で上昇する第３洗浄水の上昇流と壺部の前方から流れ込む第１洗浄水とを確実に合流させることができるため、壺部内において、溜水全体を前側で上昇させ、後側で下降させる強力な縦旋回流を確実に形成することができる。
したがって、第１リム吐水と第２リム吐水との合流後の壺部内で洗浄水の強力な縦旋回を確実に実現することができ、壺部内から排水トラップ部への汚物排出性能を確実に向上させることができる。
【００１１】
本発明において、好ましくは、上記ガイド部は、その下方に設けられて上記第３洗浄水を下方から上方に導くように上昇させる流路を形成する下側上昇部と、この下側上昇部の上方に設けられて上記下側上昇部により上昇している上記第３洗浄水を左右方向に広げる流路を形成する上側拡路部と、を備えている。
このように構成された本発明においては、まず、ガイド部の下側上昇部により、壺部の底面から前側の先端部に到達した第２リム吐水の第３洗浄水を下方から上方に確実に導くことができる。
つぎに、ガイド部の上側拡路部により、下側上昇部で上昇している第３洗浄水を左右方向に広げることができる。
これらにより、壺部内の前側において、ガイド部の下側上昇部を上昇して上側拡路部で左右方向に広がる第３洗浄水と壺部の前方から流れ込む第１洗浄水とをより確実に合流させることができる。
したがって、第１リム吐水と第２リム吐水との合流後の壺部内において、溜水全体を前側で上昇させ、後側で下降させる強力な縦旋回流をより確実に形成することができる。
よって、壺部内で洗浄水の強力な縦旋回をより確実に実現することができ、壺部内から排水トラップ部への汚物排出性能をより確実に向上させることができる。
【００１２】
本発明において、好ましくは、上記ガイド部は、上記壺部の先端部において前方に向って突出するように形成されている曲がり部を備えており、この曲がり部の前端における平面視の曲率半径は、上記曲がり部が上記壺部の底面側に位置する程、小さくなるように設定されており、上記曲がり部が上記壺部の上方側に位置する程、大きくなるように設定されている。
このように構成された本発明においては、壺部の先端部において前方に向って突出するガイド部の曲がり部の前端における平面視の曲率半径について、曲がり部が壺部の底面側に位置する程、小さくなるように設定することができる。これにより、壺部の側壁面の上方から下方の底面に流れ込んだ第３洗浄水が壺部の先端部に到達した際には、先細り形状の曲がり部により第３洗浄水を寄せ集めることができ、この第３洗浄水が曲がり部の壺部の底面側に一時的に滞留することにより、上昇流を効率良く形成することができる。
また、曲がり部の前端の平面視の曲率半径について、曲がり部が壺部の上方側に位置する程、大きくなるように設定することができるため、第３洗浄水が曲がり部の壺部の上方側で左右方向に広がりながら上昇し易くなる。
したがって、このような上昇流第３洗浄水と壺部の前方から流れ込む第１洗浄水とが確実に合流することにより、第１リム吐水と第２リム吐水との合流後の壺部内において、溜水全体を前側で上昇させ、後側で下降させる強力な縦旋回流を形成することができる。
【００１３】
本発明において、好ましくは、上記壺部の底面は、上記排水トラップ部の入口よりも前方に形成される前側底面部を備えており、上記壺部は、上記第２リム吐水口から吐水された上記第２リム吐水の上記第３洗浄水を上記壺部の底面の前側底面部よりも後方の上記壺部の側壁面から下方の上記前側底面部に向って流入させて、この前側底面部から上記先端部の上記ガイド部に導くように構成されている。
このように構成された本発明においては、特に、第２リム吐水口からボウル部内の壺部後方に吐水された第２リム吐水の第３洗浄水が、壺部の底面の前側底面部よりも後方の壺部の側壁面の上方から壺部内に流入した後、下方の底面の前側底面部に到達することができる。これにより、その後の第３洗浄水を壺部の前側底面部から先端部のガイド部に効率良く導くことができる。
また、第１リム吐水と第２リム吐水との合流後の壺部内において第３洗浄水の左右方向の流れの発生を抑制することができるため、壺部内に形成される縦旋回流の縦旋回を効果的に促進することができる。
【００１４】
本発明において、好ましくは、上記壺部の底面は、上記排水トラップ部の入口よりも後方に形成される後側底面部を備えており、上記壺部は、上記第２リム吐水口から吐水された上記第２リム吐水の上記第２洗浄水を上記壺部の後方から上記後側底面部に導くように構成されている。
このように構成された本発明においては、特に、第２リム吐水口からボウル部内の壺部後方に吐水された第２リム吐水の第２洗浄水が壺部の後方から壺部内に流入した際、壺部内の後側の溜水に対して下降する水流（下降流）を確実に形成することができる。その後、この第２洗浄水が後側底面部に到達することにより、壺部内の後側の下降流を前方側に旋回させることができる。
したがって、第１リム吐水と第２リム吐水との合流後の壺部内において、第２洗浄水による前後方向の強力な縦旋回流を形成し易くすることができる。
【発明の効果】
【００１５】
本発明の水洗大便器によれば、壺部内の溜水全体において安定した縦旋回流を形成して旋回力を高めることができ、汚物排出性能を向上させることができる。
【図面の簡単な説明】
【００１６】
【図１】本発明の一実施形態による水洗大便器の概略平面図である。
【図２】図１のＩＩ−ＩＩ線に沿った断面図である。
【図３】図１のＩＩＩ−ＩＩＩ線に沿った断面図である。
【図４】図１のＩＶ−ＩＶ線に沿った断面図である。
【図５】図１に示す本発明の一実施形態による水洗大便器の便器本体における第２リム導水路及び第２リム吐水口を含むボウル部の部分を拡大した部分拡大平面図である。
【図６】図３に示す本発明の一実施形態による水洗大便器の便器本体における第２リム吐水口の部分を拡大した部分拡大図である。
【図７Ａ】本発明の一実施形態による水洗大便器のボウル部内における第１リム吐水の旋回流が第２リム吐水の水流に合流する前の状態の洗浄水の流れを概略的に説明した概略平面図である。
【図７Ｂ】本発明の一実施形態による水洗大便器のボウル部内における第１リム吐水の旋回流が第２リム吐水の水流に合流した後の状態の洗浄水の流れを概略的に説明した概略平面図であり、壺部内に前後方向の縦旋回流が形成される前の状態を示す。
【図８】本発明の一実施形態による水洗大便器のボウル部の汚物受け面における棚状面、傾斜面、及び、連結面のそれぞれの領域を概略的に説明する概略平面図であり、壺部内に前後方向の縦旋回流が形成される直前の状態を示す。
【図９】図４に示す本発明の一実施形態による水洗大便器のボウル部の汚物受け面及び壺部のそれぞれの左側領域部分を拡大した部分拡大図である。
【図１０】本発明の一実施形態による水洗大便器のボウル部における壺部の部分を拡大した部分拡大平面図である。
【図１１Ａ】本発明の一実施形態による水洗大便器のボウル部の壺部内において、前後方向の縦旋回流が形成される直前の状態の洗浄水の流れを概略的に説明した概略側面断面図である。
【図１１Ｂ】本発明の一実施形態による水洗大便器のボウル部の壺部内において、前後方向の縦旋回流が形成されている状態の洗浄水の流れを概略的に説明した概略側面断面図である。
【発明を実施するための形態】
【００１７】
つぎに、図１〜図１１Ｂを参照して、本発明の一実施形態による水洗大便器について説明する。
まず、図１は、本発明の一実施形態による水洗大便器の概略平面図である。
図１に示すように、本発明の一実施形態による水洗大便器１は、陶器製の便器本体２を備えている。この便器本体２は、上流側から下流側に向かって、導水路４と、ボウル形状のボウル部６と、排水トラップ管路８とを備えている。
なお、便器本体２については、陶器製以外の樹脂製等であってもよい。
【００１８】
つぎに、図１に示す本実施形態の水洗大便器１の便器本体２の上面においては、便座（図示せず）及び便蓋（図示せず）等が設けられているが、従来の水洗大便器の構造と同様であるため、具体的な説明については省略する。
また、便器本体２の上面においては、便座（図示せず）及び便蓋（図示せず）の後方側には、使用者の局部を洗浄する衛生洗浄部（図示せず）や便器本体２への給水機能に関与する給水系機能部等の機能部（図示せず）も設けられていてもよいが、これらについても、従来の水洗大便器の構造と同様であるため、具体的な説明については省略する。
【００１９】
つぎに、図１に示すように、本発明の一実施形態による水洗大便器１は、便器洗浄に使用される洗浄水を貯水して便器本体２へ給水する洗浄水源である重力給水式の貯水タンク１０を備えており、便器本体２のボウル部６内の水の落差による流水作用で汚物を押し流す、いわゆる、「洗い落とし式の水洗大便器」である。
なお、本実施形態では、便器本体２へ洗浄水を供給する洗浄水源としては、上述した重力給水式の貯水タンク１０のようなタンク式の形態に限定されず、他の形態でも適用可能である。すなわち、便器本体２へ洗浄水を供給する洗浄水源として、水道水の給水圧を直接利用した水道直圧式の形態やフラッシュバルブ式の形態であってもよいし、或いは、ポンプの補圧を利用して洗浄水を供給する形態であってもよい。
【００２０】
つぎに、図２は、図１のＩＩ−ＩＩ線に沿った断面図である。また、図３は、図１のＩＩＩ−ＩＩＩ線に沿った断面図である。さらに、図４は、図１のＩＶ−ＩＶ線に沿った断面図である。
なお、図２〜図４に示す本実施形態の水洗大便器１においては、便器本体２の外形部分や貯水タンク１０については省略しており、詳細は後述する便器本体２のボウル部６、導水路４、及び、排水トラップ管路８等の便器本体２の主要部分のみを図示している。
【００２１】
ここで、図１に示す本発明の一実施形態による水洗大便器１においては、便器本体２のボウル部６の平面視において、ボウル部６を前後方向に二等分するように水平左右方向に延びる中心軸線を「Ｘ」で示し、ボウル部６を左右方向に二等分するように水平前後方向に延びる中心軸線を「Ｙ」で示している。
また、図１では、中心軸線Ｘ，Ｙの互いの交点を平面視のボウル部６の中心Ｏとし、この中心Ｏを通る鉛直方向に延びる中心軸線を「Ｚ」で示している。
これらにより、図２及び図３に示す本発明の一実施形態による水洗大便器１においては、便器本体２のボウル部６の側面視において、ボウル部６を前後方向に二等分するように鉛直方向に延びる中心軸線を「Ｚ」で示している。
さらに、図１〜図３に示すように、水洗大便器１の前後左右の方向については、「前」、「後」、「左」、「右」でそれぞれ示している。また、左右方向のことを「側方」と呼ぶこともある。
【００２２】
つぎに、図１〜図４に示すように、便器本体２の上流側に位置する導水路４は、ボウル部６の後方側に形成され、貯水タンク１０から供給された洗浄水をボウル部６に導くようになっている。
また、図１〜図４に示すように、便器本体２の導水路４の下流側に位置するボウル部６は、下方から上方に向かって、壺部１２、汚物受け面１４、棚部１６、及び、リム部１８を備えている。
【００２３】
まず、図１〜図４に示すように、ボウル部６の壺部１２は、ボウル部６の下方に設けられており、その内部に溜水Ｗ０を貯留し、封水（封水面ＷＬ）を形成している。
また、図１〜図４に示すように、壺部１２は、底壁１２ａと、この底壁１２ａの左右側方に設けられた側壁（左側壁１２ｂ及び右側壁１２ｃ）と、底壁１２ａの後方に設けられた後壁１２ｄとを備えている。
さらに、図１に示すように、壺部１２の両側の側壁１２ｂ，１２ｃの前方側は、平面視において、後方から前方に向かう程、互いに近接する先細り形状となっており、壺部１２の前端が先端部Ｔとなっている。
【００２４】
ここで、図１〜図３に示すように、本実施形態の水洗大便器１のボウル部６内の領域においては、まず、ボウル部６内の左側方のリム部１８に設けられて且つ壺部１２の前端Ｔよりも前方に位置する第１リム吐水口２０に対し、この第１リム吐水口２０の前後方向位置Ｐ１よりも前方側の領域を「ボウル部６の前方領域Ｆ」と定義する。また、このボウル部６の前方領域Ｆにおいて、ボウル部６の水平前後方向の中心軸線Ｙに対して左側領域Ｌ、右側領域Ｒのそれぞれを「ボウル部６の左前方領域ＬＦ」、「ボウル部６の右前方領域ＲＦ」と定義する。
つぎに、本実施形態の水洗大便器１のボウル部６内の領域において、壺部１２の上縁且つ後端位置Ｐ２よりも後方側の領域を「ボウル部６の後方領域Ｂ」と定義する。また、このボウル部６の後方領域Ｂにおいて、ボウル部６の水平前後方向の中心軸線Ｙに対して左側領域Ｌ、右側領域Ｒのそれぞれを「ボウル部６の左後方領域ＬＢ」、「ボウル部６の右後方領域ＲＢ」と定義する。
さらに、図１〜図３に示すように、本実施形態の水洗大便器１のボウル部６内の領域において、前方領域Ｆと後方領域Ｂとの間を「ボウル部６の中間領域Ｍ」と定義する。また、このボウル部６の中間領域Ｍにおいて、壺部１２の左側壁１２ｂの上縁よりも左側の領域を「ボウル部６の左側方領域ＬＭ」と定義し、壺部１２の右側壁１２ｃの上縁よりも右側の領域を「ボウル部６の右側方領域ＲＭ」と定義する。
【００２５】
つぎに、図１〜図４に示すように、ボウル部６の汚物受け面１４は、壺部１２の上縁に接続される下縁から棚部１６の棚面１６ａ及びリム部１８のリム内壁面１８ａと共に、ボウル状のボウル面を形成しており、汚物を受ける面となっている。
なお、図１〜図４では、壺部１２と汚物受け面１４との境界線（壺部１２の上縁及び汚物受け面１４の下縁）を「Ｌ１」としている。
また、ボウル部６のリム部１８は、ボウル部６の上縁を形成しており、リム部１８の内周面（リム内壁面１８ａ）は、図１に示す平面視において、概ね卵形の形状に形成されている。
さらに、ボウル部６の棚部１６は、汚物受け面１４の外縁とリム部１８の下端との間に形成されている。導水路４内の洗浄水は、詳細は後述する２つのリム吐水口（第１リム吐水口２０及び第２リム吐水口２２）のそれぞれに導かれるようになっている。これにより第１リム吐水口２０及び第２リム吐水口２２のそれぞれから第１リム吐水及び第２リム吐水のそれぞれが吐水されるようになっている。
なお、本実施形態においては、必ずしも棚部１６を設ける必要はなく、第１リム吐水口２０及び第２リム吐水口２２のそれぞれから第１リム吐水及び第２リム吐水のそれぞれが汚物受け面１４の上縁部に吐水させても良い。
【００２６】
つぎに、図１〜図４に示すように、導水路４は、共通導水路２４と、第１リム導水路２６と、第２リム導水路２８とを備えている。
まず、共通導水路２４は、貯水タンク１０に接続される後方の入口４ａから前方のボウル部６の背面側近傍まで延びるようにボウル部６の後方側の便器本体２の内部に形成されている。
【００２７】
つぎに、図１、図２及び図４に示すように、第１リム導水路２６は、ボウル部６の背面側近傍で共通導水路２４からボウル部６の左側に分岐した後、ボウル部６の外周面を迂回しながら前方の第１リム吐水口２０まで延びるようにリム部１８の内部に形成されている。
これにより、共通導水路２４から第１リム導水路２６に供給された洗浄水は、第１リム吐水口２０から前方の棚部１６に第１リム吐水として吐水された後、ボウル部６内の左前方領域ＬＦから右前方領域ＲＦを経て右側方領域ＲＭへと旋回する旋回流を形成するようになっている。
【００２８】
一方、図１、図３及び図４に示すように、第２リム吐水口２２は、ボウル部６内の右側方領域ＲＭのリム部１８に設けられており、壺部１２の前端Ｔの位置よりも後方且つ後端位置Ｐ２よりも前方に配置されている。すなわち、第２リム吐水口２２は、第１リム吐水口２０よりも後方に配置されている。
また、第２リム吐水口２２は、壺部１２の前後方向の中央（図１に示す壺部１２の前後後方向の中心Ｏ１）よりも後方に配置されている。
さらに、図１、図２及び図４に示すように、第２リム導水路２８は、詳細については後述するが、ボウル部６の背面側近傍で共通導水路２４からボウル部６の右側に分岐した後、ボウル部６の外周面を迂回しながら前方のボウル部６の右側方領域ＲＭのリム部１８まで延びるように形成されている。
その後、第２リム導水路２８は、ボウル部６の右側方領域ＲＭのリム部１８の内部において、後方側にＵターンして後方に延びた後、第２リム吐水口２２に向けて斜め後方に屈曲して第２リム吐水口２２まで延びるように形成されている。
【００２９】
つぎに、図１〜図４に示すように、便器本体２の下流側に位置する排水トラップ管路８は、ボウル部６の下方から後方に形成され、ボウル部６内の汚物を排出する排水路（排水トラップ部）である。
また、排水トラップ管路８の入口８ａは、ボウル部６の壺部１２の下方（底壁１２ａ）の排水口ｈに接続されている。そして、排水トラップ管路８は、その入口８ａから下方且つ後方に下降する下降路８ｂと、この下降路８ｂの下流端から上方且つ後方に上昇する上昇路８ｃと、を備えている。
【００３０】
つぎに、図１及び図３〜図６を参照して、本実施形態の水洗大便器１における第２リム導水路２８及び第２リム吐水口２２の詳細について説明する。
まず、図５は、図１に示す本発明の一実施形態による水洗大便器の便器本体における第２リム導水路及び第２リム吐水口を含むボウル部の部分を拡大した部分拡大平面図である。また、図６は、図３に示す本発明の一実施形態による水洗大便器の便器本体における第２リム吐水口の部分を拡大した部分拡大図である。
図５に示すように、第２リム導水路２８は、その入口２８ａから下流側に向かって、外側導水路３０と、第１屈曲導水路３２と、第２屈曲導水路３４と、を備えている。
【００３１】
図５に示すように、第２リム導水路２８の外側導水路３０は、その入口２８ａが後方側（上流側）の共通導水路２４に接続され、ボウル部６の外周面を迂回しながら前方のボウル部６の右側方領域ＲＭのリム部１８内に形成されている。
つぎに、図５に示すように、第２リム導水路２８の第１屈曲導水路３２は、外側導水路３０の前端（下流端）Ｅ１から前方に延びた後、屈曲部Ｂ１において、後方に向って屈曲するように形成されている。すなわち、第１屈曲導水路３２の屈曲部Ｂ１は、図５の平面視においてＵ字形形状にターンする部分となっている。これにより、上流側の外側導水路３０から前方に向かって第１屈曲導水路３２に流れ込んだ洗浄水は、第１屈曲導水路３２を通過することにより、後方に方向転換されるようになっている。
また、図５に示すように、第２リム導水路２８の第２屈曲導水路３４は、第１屈曲導水路３２の下流側後方に設けられている。この第２屈曲導水路３４は、第１屈曲導水路３２の下流端Ｅ２から後方の屈曲部Ｂ２まで延びる上流側導水路３４ａと、屈曲部Ｂ２により斜め後方のボウル部６の右後方領域ＲＢに向って屈曲した後、第２リム吐水口２２まで延びる下流側導水路３４ｂと、を備えている。
これにより、第１屈曲導水路３２の下流端Ｅ２から後方に向って第２屈曲導水路３４の上流側導水路３４ａに流れ込んだ洗浄水は、第２屈曲導水路３４の屈曲部Ｂ２を通過することにより、ボウル部６の右後方領域ＲＢに向って斜め後方に方向転換されるようになっている。そして、下流側導水路３４ｂを通過した洗浄水が、第２リム吐水口２２から第２リム吐水として吐水されるようになっている。
【００３２】
ここで、図１及び図５に示すように、第２リム導水路２８の入口２８ａから第２リム吐水口２２までの経路長さは、第１リム導水路２６の入口２６ａから第１リム吐水口２０までの経路長さよりも短い長さに設定されている。
また、第２リム導水路２８の入口２８ａから第２リム吐水口２２までの経路における平均流路断面積は、第１リム導水路２６の入口２６ａから第１リム吐水口２０までの経路における平均流路断面積よりも小さく設定されている。
これらにより、第２リム吐水口２２から吐水される第２リム吐水の吐水量Ｖ２［Ｌ］及び流量Ｑ２（瞬間流量）［Ｌ／ｍｉｎ］のそれぞれは、第１リム吐水口２０から吐水される第１リム吐水の吐水量Ｖ１［Ｌ］及び流量Ｑ１（瞬間流量）［Ｌ／ｍｉｎ］のそれぞれよりも小さく設定されるようになっている（Ｖ２＜Ｖ１、Ｑ２＜Ｑ１）。
ちなみに、本実施形態の水洗大便器１において、例えば、貯水タンク１０から共通導水路２４に供給される洗浄水Ｗの総吐水量Ｖ［Ｌ］を１００％とすると、共通導水路２４から第１リム導水路２６に供給される第１リム吐水Ｗ１の吐水量Ｖ１［Ｌ］は、総吐水量Ｖ［Ｌ］の７０％〜８０％に設定されることが好ましく、共通導水路２４から第２リム導水路２８に供給される第２リム吐水Ｗ２の吐水量Ｖ２［Ｌ］は、総吐水量Ｖ０［Ｌ］の２０％〜３０％に設定されることが好ましい。
【００３３】
図５に示すように、第２リム吐水口２２は、第２リム吐水Ｗ２の水流ｆ２を第１リム吐水Ｗ１の旋回流ｆ１よりも幅広で膜状に拡散させる拡散部Ｄを備えている。
この拡散部Ｄは、第２リム吐水Ｗ２の水流ｆ２の一部がボウル部６の右後方領域ＲＢを経由して壺部１２に落下する内側水流ｆ２ａの形成を促進する落流促進部としても機能するようになっている。
また、拡散部Ｄは、第１リム吐水口２０から吐水された第１リム吐水Ｗ１の旋回流ｆ１と第２リム吐水口２２から吐水された第２リム吐水Ｗ２の水流ｆ２とが合流して干渉した後のボウル部６の後方領域Ｂの洗浄水Ｗ３の旋回性を維持する旋回維持部としても機能するようになっている。これにより、ボウル部６の後方領域Ｂの合流後の洗浄水Ｗ３は、ボウル部６の左側方領域ＬＭへ旋回した後、第１リム吐水口２０よりも前方側のボウル部６の左前方領域ＬＦから右前方領域ＲＦ付近まで旋回可能となっている。
ここで、第２リム吐水口２２の拡散部Ｄの具体的な構造としては、図５に示す平面視において、第２屈曲導水路３４の下流側導水路３４ｂ及び第２リム吐水口２２の流路中心軸線Ｃ１の方向が、リム部１８における第２リム吐水口２２の後端近傍のリム内壁面１８ａの接平面Ｔ１に対して所定角度α１（０°＜α１＜９０°）を成すように設けられている。
なお、図５に示す平面視における流路中心軸線Ｃ１と接平面Ｔ１とが成す所定角度α１については、１０度〜２０度に設定されていることが好ましく、１５度〜２０度に設定されていることが最も好ましい。
【００３４】
すなわち、図５に示すように、上述した第２リム吐水口２２の拡散部Ｄにより、第２リム吐水口２２の開口端面Ａ１は、ボウル部６の右後方領域ＲＢに向けて斜め後方に差し向けられている。
これにより、第２リム吐水口２２から予めボウル部６の右後方領域ＲＢに吐水された第２リム吐水Ｗ２の水流ｆ２の一部が、壺部１２内に後方側から流下することができ、第２リム吐水Ｗ２の水流ｆ２の残部が、ボウル部６の右後方領域ＲＢから左後方領域ＬＢまで左右方向を横断することができるようになっている。
一方、図１及び図５に示すように、第１リム吐水口２０から前方に吐水された第１リム吐水Ｗ１は、ボウル部６内の左前方領域ＬＦから右前方領域ＲＦを経て右側方領域ＲＭに旋回して第２リム吐水口２２付近に到達すると、予めボウル部６の右後方領域ＲＢに向けて吐水されて第１リム吐水Ｗ１の旋回方向に対して横断している第２リム吐水Ｗ２の水流ｆ２に合流して干渉することができるようになっている。
【００３５】
つぎに、図５に示すように、第２リム吐水口２２の拡散部Ｄとしては、第２屈曲導水路３４の下流側導水路３４ｂの流路幅ｄ２が第２屈曲導水路３４の上流側導水路３４ａの流路幅ｄ１よりも大きく設定されている。
これにより、第１屈曲導水路３２から第２屈曲導水路３４へ後方に流れた洗浄水について、第２屈曲導水路３４の屈曲部Ｂ２で斜め後方に方向転換させた後、第２屈曲導水路の下流側導水路３４ｂを通過させることにより、第２リム吐水口２２から斜め後方に吐水された第２リム吐水Ｗ２を効果的に放射状に拡散させて、幅広で膜状にすることができるようになっている。
【００３６】
つぎに、図３〜図６に示すように、ボウル部６の右後方領域ＲＢの汚物受け面１４において、第２リム吐水口２２から斜め後方に向って形成される傾斜面Ｓ１が後方側程上昇傾斜している。
また、図３〜図６に示すように、ボウル部６の右後方領域ＲＢにおいて、第２リム吐水口２２の底面２２ａからボウル部６の周方向後方側に形成される汚物受け面１４の上縁１４ａ及び棚部１６の棚面１６ａが前方側からリム内壁面１８ａの後端（リム内壁面後端１８ｂ）に向かって上昇傾斜している。
【００３７】
さらに、図５及び図６に示すように、第２リム吐水口２２は、リム部１８のリム内壁面後端１８ｂから周方向の前方上流側の所定リム内壁面１８ｃに配置されている。この所定リム内壁面１８ｃの平面視の曲率半径ρ１は、リム内壁面後端１８ｂの平面視の曲率半径ρ２よりも大きく設定されている（ρ１＞ρ２）。
【００３８】
つぎに、図７Ａは、本発明の一実施形態による水洗大便器のボウル部内における第１リム吐水の旋回流が第２リム吐水の水流に合流する前の状態の洗浄水の流れを概略的に説明した概略平面図である。
また、図７Ｂは、本発明の一実施形態による水洗大便器のボウル部内における第１リム吐水の旋回流が第２リム吐水の水流に合流した後の状態の洗浄水の流れを概略的に説明した概略平面図である。
まず、図１及び図７Ａに示すように、本実施形態による水洗大便器１においては、便器洗浄が開始されると、貯水タンク１０内の洗浄水が便器本体２の導水路４の入口４ａから共通導水路２４に供給されるようになっている。この共通導水路２４内の洗浄水Ｗは、第１洗浄水Ｗ１及び第２洗浄水Ｗ２のそれぞれとして第１リム導水路２６及び第２リム導水路２８のそれぞれに分岐するようになっている。
【００３９】
つぎに、図１及び図７Ａに示すように、本実施形態による水洗大便器１においては、第１リム導水路２６の第１洗浄水Ｗ１が、下流側の第１リム吐水口２０から前方に第１リム吐水Ｗ１として吐水されるようになっている。この第１リム吐水Ｗ１は、ボウル部６内の左前方領域ＬＦから右前方領域ＲＦを経て右側方領域ＲＭへと旋回する旋回流ｆ１を形成するようになっている。
一方、図１、図５及び図７Ａに示すように、第２リム導水路２８の第２洗浄水Ｗ２は、外側導水路３０から前方の第１屈曲導水路３２に流れ込み、この第１屈曲導水路３２の屈曲部Ｂ１を通過することにより後方に方向転換して流れるようになっている。
その後、第１屈曲導水路３２を通過した第２洗浄水Ｗ２は、その後方の第２屈曲導水路３４の上流側導水路３４ａに流れ込み、この第２屈曲導水路３４の屈曲部Ｂ２において斜め後方の下流側導水路３４ｂに方向転換された後、第２リム吐水口２２の拡散部Ｄである下流側導水路３４ｂを通過するようになっている。
そして、第２洗浄水Ｗ２は、第２リム吐水口２２から第２リム吐水Ｗ２として吐水されるようになっている。この第２リム吐水Ｗ２は、ボウル部６内の右後方領域ＲＢに向けて拡散され、第１リム吐水Ｗ１の旋回流ｆ１よりも幅広で膜状の水流ｆ２を形成するようになっている。
ここで、第２リム導水路２８が第１リム導水路２６の経路長さよりも短い経路長さに設定されているため、第１リム吐水Ｗ１の旋回流ｆ１がボウル部６の右後方領域ＲＢにおける第２リム吐水Ｗ２の水流ｆ２と合流して干渉する領域に到達する前に、予め第２リム吐水口２２から第２リム吐水Ｗ２が早いタイミングで行われるようになっている。
【００４０】
また、図５及び図７Ａに示すように、第２リム吐水口２２からの吐水開始直後の第２リム吐水Ｗ２の水流ｆ２においては、平面視において上流側から下流側に向って概ね扇形形状に広がるような幅広で膜状の形状となっている。
さらに、このような吐水開始直後の第２リム吐水Ｗ２の水流ｆ２は、概ね内側水流ｆ２ａと外側水流ｆ２ｂとの間の範囲で幅広で膜状の水流を形成するようになっている。
ここで、図５及び図７Ａに示すように、第２リム吐水Ｗ２ａの内側水流ｆ２ａは、第２リム吐水口２２からボウル部６の後方領域Ｂに向けた第１方向の第２リム吐水Ｗ２ａの水流となっている。
一方、第２リム吐水Ｗ２の外側水流ｆ２ｂは、第１リム吐水Ｗ１の旋回流ｆ１の旋回方向と同一の第２方向の第２リム吐水Ｗ２ｂの水流となっている。
また、第２リム吐水Ｗ２ａの内側水流ｆ２ａは、その流量（第１流量Ｑ２ａ［Ｌ／ｍｉｎ］）が外側水流ｆ２ｂの流量（第２流量Ｑ２ｂ［Ｌ／ｍｉｎ］）よりも大きい状態（Ｑ２ａ＞Ｑ２ｂ）となっている。
【００４１】
つぎに、図１、図５及び図７Ｂに示すように、第１リム吐水口２０から吐水された第１リム吐水Ｗ１の旋回流ｆ１は、ボウル部６内の左前方領域ＬＦから右前方領域ＲＦを経て右側方領域ＲＭに旋回して第２リム吐水口２２付近に到達すると、予めボウル部６の右後方領域ＲＢに向けて吐水されて第１リム吐水Ｗ１の旋回方向に対して横断している第２リム吐水Ｗ２の水流ｆ２に合流して干渉するようになっている。
これにより、図７Ｂに示すように、第１リム吐水Ｗ１と第２リム吐水Ｗ２との合流後の洗浄水Ｗ３は、壺部１２よりも後方側のボウル部６の右後方領域ＲＢに導かれ、この洗浄水Ｗ３の一部の水流ｆ３が壺部１２内に後方側から流下するようになっている。
また、図７Ｂに示すように、ボウル部６の右後方領域ＲＢに導かれた合流後の洗浄水Ｗ３の他の一部の水流ｆ４は、ボウル部６の左後方領域ＬＲから左側方領域ＬＭに旋回した後、壺部１２内に左側方から流れ込むようになっている。
一方、図７Ｂに示すように、ボウル部６の右後方領域ＲＢの合流後の洗浄水Ｗ３の残部の水流ｆ５は、ボウル部６の左後方領域ＬＢから左側方領域ＬＭを経て前方領域Ｆまで旋回するようになっている。
そして、図７Ｂに示すように、このボウル部６の前方領域Ｆの水流ｆ５は、ボウル部６の前方領域Ｆで第１リム吐水Ｗ１の旋回流ｆ１から早々と分岐して流下している水流と合流することにより水流ｆ６となり、この水流ｆ６が壺部１２内に前方側から流れ込むようになっている。
これらにより、汚物が付着し易いボウル部６の後方領域Ｂの汚物受け面やリム部１８が合流後の洗浄水Ｗ３により広範囲に洗浄された後に、壺部１２内に流れ込むようになっている。
そして、壺部１２内に流れ込んだ洗浄水Ｗ３は、壺部１２内において前後方向且つ前後方向の縦旋回流（詳細は後述する）を形成するようになっており、この壺部１２内の縦旋回流により、ボウル部６内で洗浄された汚物が壺部１２から排水トラップ管路８へと排出されるようになっている。
【００４２】
つぎに、図８は、本発明の一実施形態による水洗大便器のボウル部の汚物受け面における棚状面、傾斜面、及び、連結面のそれぞれの領域を概略的に説明する概略平面図であり、壺部内に前後方向の縦旋回流が形成される直前の状態を示す。
また、図９は、図４に示す本発明の一実施形態による水洗大便器のボウル部の汚物受け面及び壺部のそれぞれの左側領域部分を拡大した部分拡大図である。
さらに、図１０は、本発明の一実施形態による水洗大便器のボウル部における壺部の部分を拡大した部分拡大平面図である。
また、図１１Ａは、本発明の一実施形態による水洗大便器のボウル部の壺部内において、前後方向の縦旋回流が形成される直前の状態の洗浄水の流れを概略的に説明した概略側面断面図である。
さらに、図１１Ｂは、本発明の一実施形態による水洗大便器のボウル部の壺部内において、前後方向の縦旋回流が形成されている状態の洗浄水の流れを概略的に説明した概略側面断面図である。
【００４３】
まず、図４及び図８〜図１０に示すように、ボウル部６の汚物受け面１４は、その上縁且つ外縁側から下縁且つ内縁側に向って、棚状面３６、傾斜面３８、及び、連結面４０のそれぞれを左右対称に備えている。
また、図９に示すように、汚物受け面１４の棚状面３６は、棚部１６の棚面１６ａに接続されている外縁から内縁に向って水平面Ｈに対して斜め下方に比較的小さい傾斜角度β１で傾斜している。
さらに、図９に示すように、汚物受け面１４の傾斜面３８は、棚状面３６の下縁且つ内縁に形成されており、水平面Ｈに対して棚状面３６の傾斜角度β１よりも大きい傾斜角度β２（＞β１）で棚状面３６よりも下方に大きく傾斜している。
また、図９に示すように、汚物受け面１４の連結面４０は、傾斜面３８の内縁及び下縁Ｌ２と壺部１２の上縁Ｌ１とを連結するように形成されている。
ここで、図９に示す角度β１については、５度〜１５度に設定されていることが好ましく、５度〜１０度に設定されていることが最も好ましい。
また、図９に示す角度β２については、２０度〜４０度に設定されていることが好ましく、２０度〜３０度に設定されていることが最も好ましい。
【００４４】
つぎに、図８に示すように、汚物受け面１４の傾斜面３８は、ボウル部６の前方領域Ｆ及び後方領域Ｂには形成されておらず、ボウル部６の左右側方領域ＬＭ，ＲＭに形成されている。
また、図８及び図９に示すように、汚物受け面１４の傾斜面３８における上縁及び外縁Ｌ３から下縁及び内縁Ｌ２までの壺部１２の中心Ｏ１方向に向かって傾斜する幅（傾斜幅ｄ３）は、傾斜面３８が壺部１２の前方側から側方側に位置する程小さくなるように設定されている。
【００４５】
つぎに、図２及び図３に示すように、壺部１２の両側壁１２ｂ，１２ｃ（側壁面）のそれぞれの上縁Ｌ１は、前方側から後方側に向って上昇している。
また、図１０に示すように、ボウル部６の左右側方領域ＬＭ，ＲＭにおける汚物受け面１４の連結面４０の左右方向の長さｄ４は、壺部１２の前後方向の中心Ｏ１の左右方向に位置する壺部１２の上縁Ｌ１に連結する連結面４０ａで最大となっている。
【００４６】
つぎに、図８、図１０及び図１１Ａに示すように、壺部１２の底壁１２ａは、排水トラップ管路８の入口８ａが接続される壺部１２の排水口ｈよりも前方に形成される前側底面部１２ｅと、排水口ｈよりも後方に形成される後側底面部１２ｆと、を備えている。また、壺部１２の前側底面部１２ｅの前方側に位置する壺部１２の先端部Ｔには、ガイド部Ｇが設けられている。
これらにより、図７Ｂ、図１０及び図１１Ａに示すように、第１リム吐水Ｗ１と第２リム吐水Ｗ２との合流後の洗浄水Ｗ３が、壺部１２よりも後方側のボウル部６の右後方領域ＲＢに導かれた後、壺部１２においては、洗浄水Ｗ３の一部が水流ｆ３として壺部１２内に後方側から流下した際、壺部１２の後壁１２ｄの壁面に沿って後側底面部１２ｆに導かれるようになっている。
また、図７Ｂ、図１０及び図１１Ａに示すように、ボウル部６の右後方領域ＲＢに導かれた合流後の洗浄水Ｗ３の一部の水流ｆ４は、ボウル部６の左後方領域ＬＲから左側方領域ＬＭに旋回した後、壺部１２内に左側方から流れ込んだ際、壺部１２においては、洗浄水Ｗ３の一部が水流ｆ４として壺部１２の前側底面部１２ｅよりも後方の壺部１２の左側壁１２ｂの壁面から下方且つ前方の前側底面部１２ｅに向って流入し、この前側底面部１２ｅに着水した水流ｆ４が先端部Ｔのガイド部Ｇに導かれるようになっている。
【００４７】
つぎに、図８、図１０及び図１１Ａに示すように、ボウル部６の壺部１２の先端部Ｔにおけるガイド部Ｇは、下方から上方に向って、下側上昇部Ｇ１及び上側拡路部Ｇ２をそれぞれ備えている。
まず、図１０及び図１１Ａに示すように、壺部１２の先端部Ｔのガイド部Ｇにおける下側上昇部Ｇ１は、前側底面部１２ｅの前方に設けられており、ボウル部６の右後方領域ＲＢに導かれた合流後の洗浄水Ｗ３の一部の水流ｆ４（図７Ｂ参照）がボウル部６の左後方領域ＬＲから左側方領域ＬＭに旋回した後、左側方から壺部１２内の底壁１２ａの排水口ｈよりも前側の底面領域（前側底面部１２ｅ）に向けて流れ込んだ際、この洗浄水Ｗ３の水流ｆ４を壺部１２内の前側に導いた後、この壺部１２内の前側で第３洗浄水Ｗ３を上昇させることができるようになっている。
また、壺部１２の先端部Ｔのガイド部Ｇにおける上側拡路部Ｇ２は、さらに、下側上昇部Ｇ１の上方に設けられており、下側上昇部Ｇ１により上昇している第３洗浄水Ｗ３の水流ｆ４を上方に導きながら左右方向に広げる流路を形成している。
【００４８】
さらに、図１０に示すように、ガイド部Ｇの下側上昇部Ｇ１及び上側拡路部Ｇ２のそれぞれは、壺部１２の先端部Ｔにおいて前方に向って突出するように形成されている曲がり部Ｇ３，Ｇ４をそれぞれ備えている。
ここで、図１０に示すように、下側上昇部Ｇ１の曲がり部Ｇ３の前端における平面視の曲率半径ρ３は、上側拡路部Ｇ２の曲がり部Ｇ４の前端における平面視の曲率半径ρ４よりも小さくなるように設定されている（ρ３＜ρ４）。
また、下側上昇部Ｇ１及び上側拡路部Ｇ２の各曲がり部Ｇ３，Ｇ４の前端における平面視の曲率半径ρ３，ρ４のそれぞれは、曲がり部Ｇ３，Ｇ４が壺部１２の底面側に位置する程、小さくなるように設定されており、曲がり部Ｇ３，Ｇ４が壺部１２の上方側に位置する程、大きくなるように設定されている。
【００４９】
つぎに、図１〜図１１Ｂを参照して、本発明の一実施形態による水洗大便器１の作用について説明する。
まず、図７Ａに示すように、第２リム吐水口２２からボウル部６内の壺部１２の後方に第２リム吐水Ｗ２が吐水され、ボウル部６の右後方領域ＲＢに向けて予め幅広で膜状の水流ｆ２が形成される。その後、第１リム吐水口２０からも前方に吐水された第１リム吐水Ｗ１により、ボウル部６内の左前方領域ＬＦから右前方領域ＲＦを経て右側方領域ＲＭに旋回する旋回流ｆ１が形成される。
そして、図７Ｂに示すように、第１リム吐水Ｗ１の旋回流ｆ１が第２リム吐水口２２付近に到達すると、予めボウル部６の右後方領域ＲＢに向けて吐水されて第１リム吐水Ｗ１の旋回方向に対して横断している第２リム吐水Ｗ２の水流ｆ２に合流して干渉する（図７Ｂ参照）。
これにより、図７Ｂに示すように、第２リム吐水口２２から吐水された第２リム吐水Ｗ２の水流ｆ２は、その後、第１リム吐水Ｗ１の旋回流ｆ１と合流することにより、壺部１２よりも後方側のボウル部６の右後方領域ＲＢに導かれて合流後の洗浄水Ｗ３となる。そして、この洗浄水Ｗ３の一部は、壺部１２内に後方側から流下する水流ｆ３（下降流）を形成する（図８、図１０、図１１Ａ参照）。
つぎに、図７Ｂに示すように、合流後の洗浄水Ｗ３のうちの他の一部は、ボウル部６の左後方領域ＬＲから左側方領域ＬＭに旋回した後、壺部１２内の前側底面部１２ｅより後方の左側壁１２ｂの上方から前方且つ下方の壺部１２の前側底面部１２ｅに向って流れ込む水流ｆ４を形成する（図８、図１０、図１１Ａ参照）。
これにより、この水流ｆ４は、壺部１２の前側底面部１２ｅに着水した後、その前方の壺部１２の先端部Ｔに導かれる。
そして、この水流ｆ４が壺部１２の先端部Ｔに到達した際には、壺部１２の先端部Ｔのガイド部Ｇにより、壺部１２内の前側の溜水に対して上昇する水流ｆ４（上昇流）が形成される。
このとき、図７Ｂに示すように、ボウル部６の右後方領域ＲＢの合流後の洗浄水Ｗ３の残部の水流ｆ５が、ボウル部６の左後方領域ＬＢから左側方領域ＬＭを経て前方領域Ｆまで旋回し、ボウル部６の前方領域Ｆで第１リム吐水Ｗ１の旋回流ｆ１から早々と分岐して流下している水流と合流することにより水流ｆ６となる。そして、この水流ｆ６が壺部１２内に前方側から流れ込むことにより、壺部１２内の前側の先端部Ｔで上昇している水流ｆ４（上昇流）に対して後方に押し込む水流ｆ６が形成される（図８、図１０、図１１Ａ参照）。
これらの結果、図１１Ａ及び図１１Ｂに示すように、壺部１２内の溜水においては、第１リム吐水Ｗ２と第２リム吐水Ｗ２との合流後の洗浄水Ｗ３の各水流ｆ３〜ｆ６により、壺部１２内の前側では、上昇した後に後方側に流れる水流（縦旋回流）ｆ７（図１１Ｂ参照）が形成されると共に、壺部１２内の後側では、水流（縦旋回流）ｆ７の上方且つ後方側が下降した後に前方側に流れる水流（縦旋回流）ｆ８（図１１Ｂ参照）が形成される。
そして、壺部１２内の汚物は、これらの上下方向且つ前後方向の縦旋回流ｆ７，ｆ８により、排水口ｈから排水トラップ管路８へ排出される。
【００５０】
また、洗浄水が壺部１２から溢れ出したり或いは飛び散った場合であっても、壺部１２や汚物受け面１４の棚状面３６、傾斜面３８、及び、連結面４０により、洗浄水を壺部１２内に戻すことができ、壺部１２内の縦旋回流ｆ７，ｆ８の縦旋回を弱めることなく、ボウル部６内に汚物が残存することを抑制することができる。
【００５１】
上述した本発明の一実施形態による水洗大便器１によれば、第２リム吐水口２２がボウル部６の左右方向の一方側（右側方領域ＲＭ）のリム部１８に設けられ、壺部１２の後端位置Ｐ２よりも前方に配置されている。
これにより、第２リム吐水口２２からボウル部６内の壺部１２の後方に吐水された合流前の第２リム吐水Ｗ２の洗浄水Ｗ２の一部が、壺部１２の後方から壺部１２内に適度に流れ込む水流ｆ２ａ（図７Ａ参照）を形成することができる。これにより、第１リム吐水Ｗ１と第２リム吐水Ｗ２との合流後の洗浄水Ｗ３の一部に対して、壺部１２内の後側の溜水に対して適度な下降流ｆ３（図８、図１０、図１１Ａ参照）を形成することができる。
また、合流後の洗浄水Ｗ３のうちの他の一部に対しても、ボウル部６の左後方領域ＬＲから左側方領域ＬＭに旋回させた後、壺部１２内に左側方（壺部１２の前側底面部１２ｅよりも後方の壺部１２の左側壁１２ｂの壁面の上方）から前側底面部１２ｅに向って流れ込む水流ｆ４を形成することができる（図８、図１０、図１１Ａ参照）。これにより、この水流ｆ４を壺部１２の前側底面部１２ｅに着水させた後、その前方の壺部１２の先端部Ｔのガイド部Ｇに効率良く導くことができる。
そして、この水流ｆ４が壺部１２の先端部Ｔに到達した際には、壺部１２の先端部Ｔのガイド部Ｇにより、壺部１２内の前側の溜水に対して上昇する水流ｆ４（上昇流）を形成することができるため、壺部１２内に形成される上下方向且つ前後方向の縦旋回流ｆ７，ｆ８の縦旋回を効果的に促進することができる。
このとき、図７Ｂに示すように、ボウル部６の右後方領域ＲＢの合流後の洗浄水Ｗ３の残部の水流ｆ５が、ボウル部６の左後方領域ＬＢから左側方領域ＬＭを経て前方領域Ｆまで旋回し、ボウル部６の前方領域Ｆで第１リム吐水Ｗ１の旋回流ｆ１から早々と分岐して流下している水流と合流することにより水流ｆ６となる。そして、この水流ｆ６が壺部１２内に前方側から流れ込むことにより、壺部１２内の前側の先端部Ｔで上昇している水流ｆ４（上昇流）に対して後方に押し込む水流ｆ６を形成することができる（図８、図１０、図１１Ａ参照）。
これらの結果、図１１Ａ及び図１１Ｂに示すように、壺部１２内の溜水においては、第１リム吐水Ｗ２と第２リム吐水Ｗ２との合流後の洗浄水Ｗ３の各水流ｆ３〜ｆ６により、壺部１２内の前側では、上昇した後に後方側に流れる水流（縦旋回流）ｆ７（図１１Ｂ参照）を形成することができると共に、壺部１２内の後側では、下降した後に前方側に流れる水流（縦旋回流）ｆ８（図１１Ｂ参照）を形成することができる。
したがって、壺部１２内の溜水全体において、前後方向且つ上下方向に縦旋回する流れ（縦旋回流）ｆ７，ｆ８を安定して形成することができるため、この縦旋回流ｆ７，ｆ８の旋回力についても高めることができる。
これらの結果、第１リム吐水口２０から吐水された第１リム吐水Ｗ１の合流前の第１洗浄水Ｗ１、第２リム吐水口２２から吐水された第２リム吐水Ｗ２の合流前の第２洗浄水Ｗ２、及び、これらの第１リム吐水Ｗ１と第２リム吐水Ｗ２との合流後の洗浄水Ｗ３のそれぞれが、壺部１２内の溜水全体において、安定した縦旋回流ｆ７，ｆ８の形成に寄与することができる。
【００５２】
さらに、上述した本実施形態の水洗大便器１によれば、第１リム吐水口２０がボウル部６の左右方向の他方側（左側方領域ＬＭ）のリム部１８に設けられ、壺部１２の前端Ｔよりも前方に配置されている。
これにより、第１リム吐水口２０から吐水された第１リム吐水Ｗ１と第２リム吐水Ｗ２との合流後の洗浄水Ｗ３の水流ｆ５，ｆ６（図７Ｂ，図８、図９、図１１Ａ参照）が、壺部１２に向って前方から効果的に流れ込むことができ、壺部１２内の前側で上昇する上昇流ｆ４（図８、図９、図１１Ａ参照）に合流することができる。
その後、これらの合流した洗浄水Ｗ３が後方且つ下方の壺部１２内の排水口ｈ（排水トラップ管路８の入口８ａ）に向けて押し込まれるため、壺部１２内の前側で溜水を上昇させる水流ｆ７（図１１Ｂ参照）を形成し、壺部１２内の後側で溜水を下降させる水流ｆ８（図１１Ｂ参照）を形成し、強力な縦旋回流ｆ７，ｆ８を効果的に形成することができる。
したがって、壺部１２内で洗浄水の強力な縦旋回を実現することができるため、壺部１２内から排水トラップ管路８への汚物排出性能を向上させることができる。
【００５３】
また、本実施形態による水洗大便器１によれば、まず、ガイド部Ｇの下側上昇部Ｇ１により、壺部１２の前側底面部１２ｅから前側の先端部Ｔに到達した洗浄水Ｗ３の水流ｆ４を下方から上方に確実に導くことができる。
つぎに、ガイド部Ｇの上側拡路部Ｇ２により、下側上昇部Ｇ１で上昇させた洗浄水Ｗ３の水流ｆ４を左右方向に広げることができる。
これらにより、壺部１２内の前側において、ガイド部Ｇの下側上昇部Ｇ１を上昇して上側拡路部Ｇ２で左右方向に広がる洗浄水Ｗ３の水流ｆ４と壺部１２の前方から流れ込む洗浄水Ｗ３の水流ｆ６とをより確実に合流させることができる。
したがって、壺部１２内の前側で溜水を上昇させる水流ｆ７（図１１Ｂ参照）を形成し、壺部１２内の後側で溜水を下降させる水流ｆ８（図１１Ｂ参照）を形成し、強力な縦旋回流ｆ７，ｆ８をより効果的に、かつ、確実に形成することができる。
【００５４】
また、本実施形態による水洗大便器１によれば、ガイド部Ｇの下側上昇部Ｇ１の曲がり部Ｇ３の前端における平面視における曲率半径ρ３が、上側拡路部Ｇ２の曲がり部Ｇ４の前端における平面視の曲率半径ρ４よりも小さくなるように設定されている（ρ３＜ρ４）。
これにより、壺部１２内に左側方（左側壁１２ｂの上方）から前側底面部１２ｅに向って流れ込んだ洗浄水Ｗ３の水流ｆ４が壺部１２の先端部Ｔに到達した際には、先細り形状の曲がり部Ｇ３，Ｇ４により洗浄水Ｗ３を寄せ集めることができ、この洗浄水Ｗ３が壺部１２の底面側の曲がり部Ｇ３に一時的に滞留することにより、上昇流ｆ４を効率良く形成することができる。
また、曲がり部Ｇ３，Ｇ４の前端における平面視の曲率半径ρ３，ρ４について、曲がり部が壺部１２の上方側に位置する程、大きくなるように設定することができるため、洗浄水Ｗ３の水流ｆ４が、曲がり部Ｇ４の壺部１２の上方側で左右方向に広がりながら上昇し易くなる。
したがって、このような洗浄水Ｗ３の上昇流ｆ４と壺部１２の前方から流れ込む水流ｆ６とが確実に合流することにより、壺部１２内において、溜水全体を前側で上昇させ、後側で下降させる強力な縦旋回流ｆ７，ｆ８を形成することができる。
【００５５】
また、本実施形態による水洗大便器１によれば、図７Ｂ、図８、図１０及び図１１Ａに示すように、特に、第２リム吐水口２２からボウル部６内の壺部１２の後方に吐水された第２リム吐水Ｗ２と第１リム吐水Ｗ１とが合流した後の洗浄水Ｗ３が、壺部１２の後方から壺部１２内に流入した際、壺部１２内の後側の溜水に対して下降する水流（下降流ｆ３）を確実に形成することができる。その後、この洗浄水Ｗ３の水流ｆ３が壺部１２内の後側底面部１２ｆに到達することにより、壺部１２内の後側の下降流ｆ３を前方側に旋回させることができる。
したがって、壺部１２内において、洗浄水Ｗ３の下降流ｆ３による前後方向の強力な縦旋回流ｆ７，ｆ８（図１１Ｂ参照）を形成し易くすることができる。
【符号の説明】
【００５６】
１        水洗大便器
２        便器本体
４        導水路
４ａ      導水路の入口
６        ボウル部
８        排水トラップ管路（排水トラップ部）
８ａ      排水トラップ管路の入口
８ｂ      排水トラップ管路の下降路
８ｃ      排水トラップ管路の上昇路
１０        貯水タンク（洗浄水源）
１２        壺部
１２ａ      壺部の底壁（壺部の底面）
１２ｂ      壺部の左側壁
１２ｃ      壺部の右側壁
１２ｄ      壺部の後壁
１２ｅ      壺部の前側底面部
１２ｆ      壺部の後側底面部
１４        汚物受け面
１４ａ      汚物受け面の上縁
１６        棚部
１６ａ      棚面
１８        リム部
１８ａ      リム内壁面（リム壁面）
１８ｂ      リム内壁面後端
１８ｃ      所定のリム内壁面（所定のリム壁面）
２０        第１リム吐水口（第１リム吐水部）
２２        第２リム吐水口（第２リム吐水部）
２２ａ      第２リム吐水口の底面
２４        共通導水路
２６        第１リム導水路
２８        第２リム導水路
２８ａ      第２リム導水路の入口
３０        第２リム導水路の外側導水路
３２        第２リム導水路の第１屈曲導水路
３４        第２リム導水路の第２屈曲導水路
３４ａ      第２屈曲導水路の上流側導水路
３４ｂ      第２屈曲導水路の下流側導水路
３６        棚状面
３８        傾斜面
４０        連結面
４０ａ      壺部の上縁の前後方向の中央付近の領域に連結する汚物受け面の連結面
Ａ１      第２リム吐水口の開口端面
Ｂ        ボウル部の後方領域
Ｂ１      第１屈曲導水路の屈曲部
Ｂ２      第２屈曲導水路の屈曲部
Ｃ１      第２リム吐水口及び第２屈曲導水路の下流側導水路の流路中心軸線
Ｄ        拡散部（落流促進部、旋回維持部）
ｄ１      第２屈曲導水路の上流側導水路の流路幅
ｄ２      第２屈曲導水路の下流側導水路の流路幅
ｄ３      汚物受け面の傾斜面の傾斜幅
ｄ４      ボウル部の左右側方領域における汚物受け面の連結面の左右方向の長さ
Ｅ１      外側導水路の前端（下流端）、第１屈曲導水路の上流端
Ｅ２      第１屈曲導水路の下流端
Ｆ        ボウル部の前方領域
ｆ１      第１リム吐水の旋回流（第１洗浄水）
ｆ２      第２リム吐水の水流（第２洗浄水）
ｆ２ａ    第２リム吐水の内側水流（第１方向の第２リム吐水の水流）
ｆ２ｂ    第２リム吐水の外側水流（第１方向の第２リム吐水の水流）
ｆ３      第１リム吐水と第２リム吐水の合流後の洗浄水の一部の流れ（第２洗浄水）
ｆ４      第１リム吐水と第２リム吐水の合流後の洗浄水の一部の流れ（第３洗浄水）
ｆ５      第１リム吐水と第２リム吐水の合流後の洗浄水の一部の流れ
ｆ６      第１リム吐水と第２リム吐水の合流後の洗浄水の一部の流れ（第１洗浄水）
ｆ７      壺部内に形成される縦旋回流
ｆ８      壺部内に形成される縦旋回流
Ｇ        壺部の先端部のガイド部
Ｇ１      壺部の先端部のガイド部の下側上昇部
Ｇ２      壺部の先端部のガイド部の上側拡路部
Ｇ３      壺部の先端部のガイド部における下側上昇部の曲がり部
Ｇ４      壺部の先端部のガイド部における上側拡路部の曲がり部
Ｈ        水平面
ｈ        排水口
Ｌ        ボウル部の左側領域
ＬＢ      ボウル部の左後方領域
ＬＦ      ボウル部の左前方領域
ＬＭ      ボウル部の左側方領域
Ｌ１      壺部と汚物受け面との境界線、壺部の上縁、汚物受け面の下縁
Ｌ２      汚物受け面の傾斜面の下縁及び内縁
Ｌ３      汚物受け面の傾斜面の上縁及び外縁
Ｍ        ボウル部の前方領域と後方領域との間の中間領域
Ｏ        ボウル部の中心
Ｏ１      壺部の前後方向の中心
Ｐ１      第１リム吐水口の前後方向位置
Ｐ２      壺部の上縁且つ後端位置
Ｑ１      第１リム吐水の流量（瞬間流量）
Ｑ２      第２リム吐水の流量（瞬間流量）
Ｑ２ａ    第１方向の第２リム吐水の流量（瞬間流量）
Ｑ２ｂ    第２方向の第２リム吐水の流量（瞬間流量）
Ｒ        ボウル部の右側領域
ＲＢ      ボウル部の右後方領域
ＲＦ      ボウル部の右前方領域
ＲＭ      ボウル部の右側方領域
Ｓ１      傾斜面（ボウル部の右後方領域の汚物受け面における第２リム吐水口から斜め後方に向って形成される面）
Ｔ        壺部の先端部（壺部の前端）
Ｔ１      接平面
ｕ１      流速
ｕ２      流速
Ｖ１      吐水量
Ｖ２      吐水量
Ｗ        洗浄水
Ｗ０      溜水
Ｗ１      第１洗浄水、第１リム吐水
Ｗ２      第２洗浄水、第２リム吐水
Ｗ２ａ    第１方向の第２リム吐水
Ｗ２ｂ    第２方向の第２リム吐水
Ｗ３      第１リム吐水と第２リム吐水との合流後の洗浄水
ＷＬ      溜水の水位（溜水面）
Ｘ        ボウル部の水平左右方向の中心軸線
Ｙ        ボウル部の水平前後方向の中心軸線
Ｚ        ボウル部の中心を通る鉛直方向の中心軸線
α１      角度
β１      傾斜角度
β２      傾斜角度
ρ１      第２リム吐水口が配置されている所定のリム内壁面の平面視の曲率半径
ρ２      リム部のリム内壁面後端の平面視の曲率半径
ρ３      壺部の先端部のガイド部における下側上昇部の曲がり部の平面視の曲率半径
ρ４      壺部の先端部のガイド部における上側拡路部の曲がり部の平面視の曲率半径
【図１】
2020051052.tif 000003
【図２】
2020051052.tif 000004
【図３】
2020051052.tif 000005
【図４】
2020051052.tif 000006
【図５】
2020051052.tif 000007
【図６】
2020051052.tif 000008
【図７Ａ】
2020051052.tif 000009
【図７Ｂ】
2020051052.tif 000010
【図８】
2020051052.tif 000011
【図９】
2020051052.tif 000012
【図１０】
2020051052.tif 000013
【図１１Ａ】
2020051052.tif 000014
【図１１Ｂ】
2020051052.tif 000015